(57)【特許請求の範囲】
【請求項１】
遊技動作を制御する制御回路が形成されている制御基板と、この制御基板を内部に収納するために、少なくともベース部及び蓋部に分割された箱状に形成されている基板ケースと、この基板ケースに貼付されるとともに、当該遊技機の固有の情報が記録された記録媒体が設けられているシールとを備えた遊技機であって、
前記基板ケースには、貼付された前記シールと対向する面を有し当該シールの全体を覆うタグカバー部が設けられ、
前記タグカバー部の内部には、前記シールの裏側に配置されるとともに、前記ベース部及び前記蓋部を結合する結合手段が設けられ、
前記タグカバー部における、貼付された前記シールと対向する面には、前記基板ケースから当該タグカバー部を刃物で切り離す際に、刃物で破断される部位であることを示すとともに、刃物で破断される破断部が設けられ、
前記破断部は、刃物で破断される破断箇所を複数有しており、これらの破断箇所が破断されると、前記タグカバー部における、貼付された前記シールと対向する面が切断され、前記タグカバー部の一部が前記基板ケースから切り離されるように形成され、
前記シールは、前記タグカバー部の前記破断部が刃物で破断されて、前記タグカバー部の一部が前記基板ケースから切り離されると、外部に露出するように形成され、
露出している前記シールは刃物で切断可能に形成され、
前記基板ケースは、前記シールの裏側に配置されている、前記ベース部及び前記蓋部を結合していた前記結合手段が結合を解除されると解放可能に形成されていることを特徴とする遊技機。
【発明の詳細な説明】
【技術分野】
【０００１】
本発明は、遊技動作を制御する制御回路が形成されている制御基板と、この制御基板を内部に収納するために、少なくともベース部及び蓋部に分割された箱状に形成されている基板ケースと、この基板ケースに貼付されるとともに、当該遊技機の固有の情報が記録されたＩＣタグが設けられているＩＣタグシールとを備えた遊技機に関する。
【背景技術】
【０００２】
従来から、スロットマシンの遊技機は、遊技を行うのに必要な遊技装置、遊技装置の動作を制御する制御回路が形成された制御基板、及び、遊技装置及び制御基板に電力を供給する電源装置等を備えたものとなっている。
このうち、制御基板は、遊技動作を制御するプログラムを記憶したＲＯＭ、及び、高速演算機能を有するＬＳＩ等からなるＣＰＵを備え、ＲＯＭに記憶されたプログラムをＣＰＵで実行するものとなっている。
このような制御基板は、真正のＲＯＭを入賞しやすい不正なプログラムを記憶した不正ＲＯＭに交換する等の不正行為を防止するために、箱状に形成された透明な合成樹脂製の基板ケースの内部に収納されている。
【０００３】
制御基板を収納する基板ケースとしては、一面が開口された箱状となっているとともに、制御基板が設置されるベース部と、このベース部に設置された制御基板の上方を覆う蓋部とを備えたものが一般的である。
そして、これらのベース部及び蓋部は、内部に設置された制御基板を不正行為から保護するために、閉じた状態で互いに結合されるようになっている。
これらのベース部及び蓋部の結合には、専用の結合具、例えば、一方が他方の内部に挿入可能となるように、テレスコピック状に形成された一対の筒体を備えた、いわゆる「カシメ」が利用される。
【０００４】
すなわち、「カシメ」の一対の筒体のうち、内側の筒体の外周面には、先端に鉤状の返し部を有する爪部が形成され、外側の筒体の内周面には、前述の爪部を係止する段部が形成されている。一対の筒体のうちの一方を他方の内部に挿入すると、一方の爪部が他方の段部に係止され、これにより、一方が他方の内部に抜け止めされ、一対の筒体が相互に結合されるようになっている。
以上のような遊技機では、閉じられた基板ケースが不正に開けられた場合に、開けられたことが直ちに判るように、ベース部及び蓋部の両方に跨って封印シールが貼り付けられるようになっている。そして、基板ケースが開けられると、封印シールが破れるので、これにより、開けられたことが判るようになっている。
【０００５】
ここで、破れた封印シールの代わりに、贋物の封印シールを貼り付けることで、基板ケースを不正に開放したことを欺瞞することができる。この贋物の封印シールの対策として、近年、シリアルナンバー等の固有情報が電子的に記録されたＩＣタグが一体化されたＩＣタグシールを封印シールとして採用し、このＩＣタグシールを基板ケースに貼付することが実施されている。
このようなＩＣタグシールを採用すれば、専用の読取装置を利用すれば、記録内容の読み出しと、駆動電力の供給とが無線通信で同時に行えるので、貼り付けられた封印シールが本物であるか否かの判別を容易且つ迅速に行うことができる。
【０００６】
また、ＩＣタグが一体化されたＩＣタグシールを剥がすと、ＩＣタグの無線アンテナが破壊されるようにＩＣタグシールを形成することができ、このようなＩＣタグシールを採用すれば、外観を損傷させずにＩＣタグシールを基板ケースから剥がすことができても、ＩＣタグの無線アンテナが破壊され、ＩＣタグの記録内容が読み取ることができないので、基板ケースが不正に開けられたか否かの判別を容易且つ迅速に行うことができる。
しかしながら、前述のＩＣタグシールを利用しても、鋭利な刃物、例えば、カミソリ等を利用して、基板ケースからＩＣタグシールを丁寧に剥がせば、ＩＣタグの無線アンテナや外観に何らダメージを与えずに基板ケースからＩＣタグシールを剥がすことができ、これにより、剥がされたＩＣタグシールの再利用が可能となり、基板ケースを開けた後、ＩＣタグシールを再貼付するとで、基板ケースが開放されたか否かの判別が困難となる、という問題がある。
【０００７】
この問題を解決するために、ＩＣタグのチップが設けられるベースシートと、このベースシートを基板ケースに貼着するための貼着剤からなる貼着層と、ベースシート及び貼着層の間に形成されるとともに、貼着層の貼着力よりも弱い粘着力でベースシート及び貼着層を相互に結合する粘着層と、粘着層に成膜した金属膜をエッチングすることで形成された無線アンテナとを備え、且つ、貼着層の貼着力よりも小さい力でベースシートが破断されるようにしたＩＣタグシールが提案されている（例えば、特許文献１参照）。
このようなＩＣタグシールによれば、カミソリ等を利用してＩＣタグシールの剥離処理を丁寧に行ったとしても、基板ケースからＩＣタグシールを剥がすために、貼着層の貼着力に抗する剥離力をＩＣタグシールに加えると、この剥離力でベースシートが破断され、ＩＣタグシールの外観が損なわれる。
【０００８】
そのうえ、貼着層の貼着力に抗する剥離力は、ベースシートから粘着層を剥離させて、粘着層に形成されている無線アンテナを、ベースシートに形成されているＩＣタグから電気的に分離するので、ＩＣタグの記録内容の読み取りが不可能となる。
このため、カミソリ等を利用したＩＣタグシールの剥離処理でも、ＩＣタグシールの再利用が不可能となり、基板ケースを開けたか否かの判別を有効に行うことができる。
【先行技術文献】
【特許文献】
【０００９】
【特許文献１】特開２００９−５０５３７号公報
【発明の概要】
【発明が解決しようとする課題】
【００１０】
前述のような遊技機では、化学薬品で貼着層の貼着力を無力化することができれば、基板ケースからＩＣタグシールを剥がす際に、ＩＣタグシールに何ら力が加わらなくなり、ＩＣタグの無線アンテナや外観に何らダメージを与えずに基板ケースからＩＣタグシールを剥がすことができるので、剥がされたＩＣタグシールの再利用が可能となり、不正ＲＯＭに交換する等の不正行為の防止が確実に行えなくなるおそれがある。このため、基板ケースの開放によってＩＣタグシールが確実に破断される遊技機が要望されている。
そこで、各請求項にそれぞれ記載された各発明は、上記した従来の技術の有する問題点に鑑みてなされたものであり、その目的とするところは、基板ケースの開放によって、確実にＩＣタグシールが破断される遊技機を提供することである。
【課題を解決するための手段】
【００１１】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載された発明は、遊技動作制御する制御回路が形成されている制御基板(80)と、この制御基板(80)を内部に収納するために、少なくともベース部(52)及び蓋部(53,53A)に分割された箱状に形成されている基板ケース(50,50A)と、この基板ケース(50,50A)に貼付されるとともに、当該遊技機(１)の固有の情報が記録された記録媒体が設けられているシール(12)とを備えた遊技機(１)であって、前記基板ケース(50,50A)には、貼付された前記シール(12)と対向する面を有し当該シール(12)の全体を覆うタグカバー部(57,57B)が設けられ、前記タグカバー部(57,57B)の内部には、前記シール(12)の裏側に配置されるとともに、前記ベース部(52)及び前記蓋部(53,53A)を結合する結合手段(60, 70)が設けられ、前記タグカバー部(57,57B)における、貼付された前記シール(12)と対向する面には、前記基板ケース(50,50A)から当該タグカバー部(57,57B)を刃物で切り離す際に、刃物で破断される部位であることを示すとともに、刃物で破断される破断部(59A) が設けられ、前記破断部(59A)は、刃物で破断される破断箇所を複数有しており、これらの破断箇所が破断されると、前記タグカバー部(57,57B)における、貼付された前記シール(12)と対向する面が切断され、前記タグカバー部(57,57B)の一部が前記基板ケース(50,50A)から切り離されるように形成され、前記シール(12)は、前記タグカバー部(57,57B)の前記破断部(59A) が刃物で破断されて、前記タグカバー部(57,57B)の一部が前記基板ケース(50,50A)から切り離されると、外部に露出するように形成され、露出している前記シール(12)は刃物で切断可能に形成され、前記基板ケース(50,50A)は、前記シール(12)の裏側に配置されている、前記ベース部(52)及び前記蓋部(53,53A)を結合していた前記結合手段(60, 70)が結合を解除されると解放可能に形成されていることを特徴とする。
【発明の効果】
【００１２】
（請求項１の効果）
以上のように構成されている本発明は、以下に記載されるような効果を奏する。
すなわち、請求項１記載の発明によれば、基板ケースのベース部及び蓋部の一方に、当該基板ケースに貼付されたＩＣタグシールの全体を覆うタグカバー部を設けたので、ＩＣタグシールがタグカバー部に覆われ、ＩＣタグシールを基板ケースから剥がす際に、カミソリ等の刃物を利用することができなくなるうえ、化学薬品をＩＣタグシールに塗布することができなくなり、従って、ＩＣタグの無線アンテナや外観に何らダメージを与えずに基板ケースからＩＣタグシールを剥がすことが不可能となる。
【００１３】
また、タグカバー部の内部におけるＩＣタグシールの裏側に、ベース部及び蓋部を相互に結合する結合手段を設け、且つ、タグカバー部をベース部及び蓋部の一方から切り離すと、ＩＣタグシールが外部に露出するように形成し、さらに、露出したＩＣタグシールは刃物で切断可能であり、さらに、ＩＣタグシールの裏側に配置されているベース部及び蓋部を結合していた結合手段の結合状態が解除されると、基板ケースが解放可能となるようにしたので、基板ケースを解放するには、ＩＣタグシールを切断する必要があり、これにより、基板ケースの開放によって、確実にＩＣタグシールが破断されるようになり、以上により、前記目的が達成される。
【００１４】
さらに、ベース部及び蓋部の一方からタグカバー部を刃物で切り離す際に、刃物で破断される部位であることを示すとともに、刃物で破断される破断部をタグカバー部に設けたので、ＩＣタグシールを露出する際に、ベース部及び蓋部の一方からタグカバー部を容易且つ確実に切り離すことができ、これにより、基板ケースの開放作業が容易に行え、基板ケースの開放によって、確実にＩＣタグシールが破断されるようにしても、基板ケースの開放作業の容易性が何ら損なわれることがない。
【図面の簡単な説明】
【００１５】
【図１】本発明の第１実施形態の全体を示す正面図である。
【図２】前記実施形態に係る筐体内部を示す正面図である。
【図３】前記実施形態に係る基板ケースを示す斜視図である。
【図４】前記実施形態に係る基板ケースを示す分解斜視図である。
【図５】前記実施形態に係る蓋部を示す平面図である。
【図６】前記実施形態に係るベース部側の連結部分を示す分解斜視図である。
【図７】前記実施形態に係る蓋部側の連結部分を示す分解斜視図である。
【図８】前記実施形態に係る箱状部の連結部分を示す断面図である。
【図９】図３のIX−IX線における断面図である。
【図１０】図３のＸ−Ｘ線における断面図である。
【図１１】前記実施形態に係るＩＣタグプレート及び破断部材を示す斜視図である。
【図１２】前記実施形態に係る破断部材の動作を説明するための模式図である。
【図１３】本発明の第２実施形態に係る基板ケースを示す分解斜視図である。
【図１４】前記実施形態に係る蓋部及びタグカバー部を示す斜視図である。
【発明を実施するための形態】
【００１６】
以下に、本発明を実施するための形態である実施形態について、図面を参照しながら説明する。
［第１実施形態］
（スロットマシン１の概要）
図１には、本発明の第１実施形態に係る遊技機としてのスロットマシン１が示されている。図１において、スロットマシン１は、三個の回転リール11の各々に記された複数種類の図柄が所定の組合せとなるように、回転している回転リール11を停止させる遊技を行うものである。このスロットマシン１には、図１に示すように、当該スロットマシン１の各種装置を収納するとともに、正面形状が長方形となった筐体２が備えられている。
【００１７】
筐体２は、前面全体が開口された箱状の部材である。そして、筐体２の前面開口は、当該筐体２に回動可能に取り付けられた前扉３で塞がれるようになっている。なお、前扉３は、閉じられると、自動的に施錠されるようになっている。
前扉３は、その前面をほぼ二分する上部パネル部４及び下部パネル部５を備えたものとなっている。そして、下部パネル部５の下方には、入賞時に払い出されるメダルを貯留する受皿部6Aが一体成形された受皿ユニット６が設けられている。また、また、上部パネル部４と下部パネル部５との間には、遊技に係る操作を行うための操作卓７が遊技者側に突出するように形成されている。
【００１８】
ここで、上部パネル部４及び下部パネル部５は、意匠的に優れた外観を確保するために、合成樹脂製の化粧板が表面に張り付けられたものとなっている。
（上部パネル部４）
上部パネル部４には、図１中、操作卓７の上方且つ幅方向の中央部分において長方形状に形成された表示窓4Aが設けられている。
ここで、筐体２内部に設けられた三個の回転リール11の各々は、その外周面に複数種類の図柄に記されている。そして、各回転リール11の図柄は、筐体２の外部から表示窓4Aを通して目視可能となっている。
【００１９】
上部パネル部４の上端縁部分には、正面形状が逆台形状に形成された演出用照明装置4Bが設けられている。この演出用照明装置4Bは、上部パネル部４の上端縁部分のほぼ中央に配置されている。演出用照明装置4Bの両端部は、上部パネル部４の角隅部分まで達することなく、その手前の位置で途切れたものとなっている。
また、上部パネル部４の両側縁には、各々が細長い帯状に形成されるとともに、「八」の字を形成するように配置された一対の演出用照明装置4Cが設けられている。これらの演出用照明装置4Cのそれぞれは、上部パネル部４の上端縁から斜め下方へ延び、表示窓4Aの上端縁よりも若干高い高さレベル位置まで達するものとなっている。
【００２０】
さらに、上部パネル部４の両方の側縁には、演出用照明装置4Cの下端に接続された別の演出用照明装置4Dがそれぞれ設けられている。これらの演出用照明装置4Dの各々は、演出用照明装置4Cと同様に、上下方向に細長い帯状に形成されたものであり、演出用照明装置4Cの下端から、上部パネル部４の側縁に沿って延び、操作卓７の直近まで達するものとなっている。
これらの演出用照明装置4B〜4Dの各々は、赤色のレンズの内部に配置された高輝度発光ダイオード等の光源を備え、遊技の進行に応じて、その光源の点灯又は点滅により、遊技における視覚的な演出効果を高めるものである。
【００２１】
表示窓4A及び演出用照明装置4Bの間には、遊技の演出用画像を表示する液晶表示装置4Eが設けられている。この液晶表示装置4Eは、動画を含む様々な画像を、遊技の進行に応じて表示するものである。
液晶表示装置4Eの両側には、遊技に係る効果音を発生するスピーカを備えた音声出力部4Fがそれぞれ設けられている。
（操作卓７）
操作卓７は、遊技における操作に必要な各種のスイッチ類が配置されたものである。
すなわち、操作卓７における図１中右端の部分には、前扉３の施錠を解除するための鍵が挿入される鍵穴7Aが設けられている。この鍵穴7Aの左斜め上方には、メダルを投入するためのメダル投入口7Bが開口されたメダル投入部7Cが設けられている。
【００２２】
メダル投入口7Bの左斜め下方には、三個の回転リール11のそれぞれを停止させる際に操作される三個のストップボタン7Dが設けられている。これら三個のストップボタン7Dのうち、左端に配置されているストップボタン7Dの左斜め上方には、一度の操作で最大枚数のメダルを賭けることができるマックスベットボタン7Eが設けられている。
また、左端のストップボタン7Dの左方であって、マックスベットボタン7Eの左斜め下方の位置には、三個の回転リール11を一斉に回転させる際に操作されるスタートレバー7Fが設けられている。このスタートレバー7Fの左斜め上方には、１回の操作で貯留されているメダルを１枚賭けることのできる、換言すると、メダルを１枚ずつ賭ける際に操作されるベットスイッチ7Gが設けられている。
【００２３】
さらに、ベットスイッチ7Gの左斜め下方には、精算時に貯留されているメダルを払い出させる精算ボタン7Hが設けられている。
（下部パネル部５及び受皿ユニット６）
下部パネル部５には、スロットマシン１のモデルタイプを表す象徴するキャラクター等が描かれたパネル5Aが設けられている。
受皿ユニット６には、メダルを貯留する前述の受皿部6Aに加えて、入賞時に受皿部6Aへ向かって払い出されるメダルを排出させるメダル払出口6Bと、遊技に係る効果音を発生するスピーカを備えた音声出力部6Cとが設けられている。
【００２４】
（筐体２）
次に、筐体２について簡単に説明する。
筐体２は、遊技の進行に必要な機能を有する複数種類の内部装置を内部に収納する箱状のものである。すなわち、筐体２は、図２に示すように、天面、底面、両方の側面、及び、背面の各々に配置される天板41、底板42、一対の側板43、及び、背板44を備えているとともに、前面が開口された六面体に形成されたものである。
また、筐体２には、一対の側板43の間に架け渡された中板45が設けられている。この中板45によって、筐体２の内部空間は、上下に仕切られている。
【００２５】
（筐体２に収納されている内部装置）
次いで、筐体２の内部に設けられている内部装置について簡単に説明する。
筐体２の内部には、図２に示すように、スロットマシン１の遊技動作を制御するマイクロコンピュータからなるＣＰＵを備えた後述する主制御基板80を内蔵する基板ケース50、三個の回転リール11が回転自在に支持するとともに、これらの回転リール11のそれぞれを駆動する図示しないモータを備えたリールユニット10、内部に多数のメダルを貯留させる容器部21を備えるとともに受皿部6Aに向かってメダルを排出するホッパユニット20、及び、これらの装置に電力を供給する電源装置９等が設けられている。
【００２６】
このうち、リールユニット10は、それぞれが円筒状に形成された複数の回転リール11を有するものである。そして、これらの回転リール11の各外周面には、特に図示していないが、複数種類の図柄が記されている。
前扉３の裏側の面には、表側に画面が露出している液晶表示装置4Eの裏側に配置されるとともに、液晶表示装置4E、演出用照明装置4B〜4D及び音声出力部4F, 6Cの動作を制御する図示しないサブ制御基板を内蔵する基板ケース2Dが設けられている。
また、前扉３の裏側の面には、表側の面に開口されたメダル投入口7Bに対応して、投入されたメダルの適否を判定するメダルセレクタ８が設けられている。
【００２７】
(基板ケース50)
次に、前述の主制御基板を内蔵する基板ケース50について説明する。
基板ケース50は、図３に示すように、略直方体状の箱状に形成された箱状部51を備えたものである。この箱状部51は、遊技動作を制御する制御回路が形成されている制御基板である前述の主制御基板80を内部に収納するためのものである。
箱状部51は、外部から内部の視認が可能な透明合成樹脂製の部材であり、図３中奥側のベース部52と、図３中手前側の蓋部53とに分割可能となっている。
更に詳しく説明すると、基板ケース50には、図４に示すように、前述したベース部52、及び蓋部53に加えて、ＩＣタグシール12が貼付されるタグ貼付面61を有するＩＣタグプレート60と、このＩＣタグプレート60に貼付されたＩＣタグシール12を破断するための破断部材70とが設けられている。
【００２８】
ＩＣタグシール12は、遊技機であるスロットマシン１の固有の情報、例えば、製造番号であるシリアルナンバー等をデジタル信号化したデータが記録されたＩＣタグ（ＩＣチップ）が設けられているものである。
ＩＣタグプレート60は、図４及び図５に示すように、ＩＣタグシール12が貼付されるタグ貼付面61と、このタグ貼付面61を横切るように形成されるとともに、当該タグ貼付面61に開口されたスリット62A, 62Bを有するものである。このＩＣタグプレート60のスリット62A, 62Bは、タグ貼付面61を左右に横切る水平スリット62A と、タグ貼付面61を図４中上下に横切る垂直スリット62B とが交差した十文字形の開口である。
【００２９】
破断部材70は、図４中左右方向に延びる薄板状のブレード部71A と、図４中上下方向に延びる薄板状のブレード部71B とを有し、これらのブレード部71A, 71Bの刃先が十文字状に交差するように組み合わされたものである。
ベース部52は、主制御基板80が取り付けられるものであり、適宜な構造の固定部材（図示略）を介して筐体２に固定されるようになっている。
このベース部52の図４中上方の端縁中央には、中空の箱状に形成されている破断部材収納部54が設けられている。
この破断部材収納部54には、ＩＣタグプレート60が取り外し可能に取り付けられる部位であるタグ取付部55が設けられている。
【００３０】
すなわち、破断部材収納部54は、蓋部53に対向する部分が平坦に形成された平坦部55A を有するものとなっている。
この平坦部55A の両側縁には、蓋部53へ向かって突出するとともに、先端が当該平坦部55A と重なる方向へ折れ曲がったＬ字形のフック部55B が複数設けられている。
そして、平坦部55A の平面の下端縁には、蓋部53へ向かって突出する鍔部55C が設けられている。
ここにおいて、タグ取付部55は、図４及び図５の如く、平坦部55A 、フック部55B 及び鍔部55C を含んで構成されたものであり、平坦部55A とフック部55B の先端との間で保持しているＩＣタグプレート60を鍔部55C で支持することで、ＩＣタグプレート60のベース部52への取り付けを行うものとなっている。
【００３１】
換言すると、ＩＣタグプレート60は、両側縁が平坦部55A とフック部55B の先端との間に保持されるとともに下端が鍔部55C に支持されることで、ベース部52に取り付けられるようになっている。
一方、ＩＣタグプレート60は、平坦部55A とフック部55B の先端との間から上方へ引き上げられることで、ベース部52から取り外し可能となっている。
また、破断部材収納部54は、平坦部55A の上下方向における中央部分が開口され、この開口の内部が破断部材70を収納する破断部材収納室56となっている。
ここで、破断部材70は、ＩＣタグプレート60のタグ貼付面61の裏側に配置されるとともに、タグ貼付面61の裏側からスリット62A, 62Bを通過可能な薄板状のブレード部71A, 71Bを有するものとなっている。そして、このような破断部材70は、タグ貼付面61の表側へ向かって駆動されると、ブレード部71A, 71Bがスリット62A, 62Bを通ってタグ貼付面61から突出してタグ貼付面61に貼付されたＩＣタグシール12を破断するように形成されたものとなっている。
【００３２】
蓋部53は、図４の如く、ベース部52側の破断部材収納部54に対応するよう形成されるとともに、破断部材収納部54に対向する面が開口された箱状の部位を有している。そして、この箱状の部位は、ベース部52側のタグ取付部55に取り付けられたＩＣタグプレート60の全体を覆う部位であって、ＩＣタグプレート60のタグ貼付面61に貼付されたＩＣタグシール12を保護するタグカバー部57となっている。
これらの破断部材収納部54、タグカバー部57、ＩＣタグプレート60及び破断部材70については、後で更に詳しく説明する。
（カシメ部材81及びカシメ受部82）
続いて、ベース部52及び蓋部53を相互に接合するための部材であるカシメ部材81及びカシメ受部82について説明する。
【００３３】
カシメ部材81及びカシメ受部82は、一方が他方の内部に挿入可能となるように、入れ子状に形成された筒体をそれぞれ有するものである。
すなわち、カシメ部材81は、図６に示すように、平たい直方体状に形成された基部81A と、入れ子状に形成された一対の筒体のうちの一方として、円筒状に形成された筒状突起部81B とを備えたものとなっている。
このうち、筒状突起部81B は、基部81A の蓋部53に対向する正面から蓋部53へ向かって突出するものとなっている。
また、直方体状の基部81A は、筒状突起部81B が突設された正面が長方形とされ、この長方形における図６中上下方向に延びる辺が長方形の長辺とされ、図６中左右方向に延びる辺が長方形の短辺とされている。
【００３４】
そして、基部81A は、短辺の長さ寸法が筒状突起部81B の直径よりも大きくなっているとともに、長辺方向に沿った両側の側縁部81C が筒状突起部81B の根本から左右両側へ張り出したものとなっている。
さらに、基部81A は、長辺の長さ寸法が筒状突起部81B の直径の２倍程度の大きさとなっているとともに、その上半分の部位に筒状突起部81B が設けられ、下半分が平坦な部位となっている。
さらに、基部81A には、当該基部81A の背面及びその周縁に沿った四つの側面を覆うことができる直方体の箱状に形成された金属製の保護カバー部材83が背面側に取り付けられるようになっている。
【００３５】
保護カバー部材83は、基部81A の長辺に沿った側壁に複数の係止孔83A が開口されたものとなっている。一方、基部81A の長辺に沿った側壁には、その表面から突出するとともに、保護カバー部材83側の係止孔83A に嵌め込まれる係止突起81D が設けられている。
保護カバー部材83は、カシメ部材81の背面を覆うように取り付けられると、その係止孔83A が基部81A 側の係止突起81D に係止され、カシメ部材81から脱落しないようになっている。
また、保護カバー部材83の四つの側壁のうち、基部81A 側の短辺に沿った側壁83B, 83Cは、基部81A 側の長辺に沿った側壁よりも突出量が大きく、その先端が基部81A 側の長辺に沿った側壁よりもカシメ部材81側に突出している。
【００３６】
これらの側壁83B, 83Cの両側の側縁には、当該側縁を四角形状に切り欠くことで形成された切り欠き部83D ,83Eがそれぞれ形成されている。
一方、ベース部52には、図６中、破断部材収納部5454の両側に、取り外し可能にカシメ部材81が取り付けられるようになっているカシメ取付部84が形成されている。
このカシメ取付部84は、図６中下方の面に開口84A が形成されるとともに、手前の面に開口84B が形成された箱状の部位である。
カシメ取付部84の下方の開口84A は、カシメ部材81の平たい基部81A の上面に応じたサイズとされている。
【００３７】
また、カシメ取付部84の手前の開口84B は、その幅がカシメ部材81の筒状突起部81B の直径に応じた寸法となっており、開口84B の両側には、図６中上下方向に延びる鍔部84C が形成されている。
この開口84B 両側の鍔部84C は、保護カバー部材83の側壁83B, 83Cに形成されている切り欠き部83D ,83Eの内部を挿通可能となっている。
これにより、保護カバー部材83が背部に取り付けられたカシメ部材81は、カシメ取付部84の下方の開口84A を通ってカシメ取付部84の内部に入れられ、保護カバー部材83の側壁83B, 83Cに形成された切り欠き部83D ,83Eの内部に鍔部84C を挿通させながら、カシメ取付部84の所定位置まで持ち上げられ、これにより、ベース部52への取り付けがなされるようになっている。
【００３８】
ここで、カシメ部材81は、カシメ取付部84の下方の開口から外部へ取り出すことができるが、手前の開口の両側に形成された鍔部84C に抜け止めされ、手前側へ引き抜くことが不可能、すなわち、開口84B から抜き取れないようになっている。
また、保護カバー部材83は、カシメ部材81がベース部52に取り付けられると、その側壁83B, 83Cに形成された切り欠き部83D ,83Eが、開口84B の両側に形成された鍔部84C に係止された状態となっている。これにより、カシメ部材81の背面と対向するベース部52の側壁が不正に切り取られ、保護カバー部材83の背面の大きさに相当する孔が開口されても、側壁83B, 83Cの切り欠き部83D ,83Eが、開口84B 両側の鍔部84C に係止され、保護カバー部材83を取り除くことができないようになっている。
このようなカシメ部材81と結合するカシメ受部82は、図７に示すように、蓋部53におけるベース部52に設けられているカシメ取付部84に対応した位置に設けられている。
【００３９】
ここで、カシメ受部82は、図７中、タグカバー部57の両側に設けられている四角筒状の保護壁部82A と、この保護壁部82A の内部に保護されるように形成された円筒状の筒状受部82B とを有するものとなっている。
四角筒状の保護壁部82A は、略正方形の断面形状を有するとともに、断面形状の略正方形が有する四つ辺のそれぞれに沿った４つの側壁を有するものとなっている。
これらの側壁のうち、カシメ部材81に設けられた基部81A の下半分における平坦な部位と対応する側壁は、その先端が他の側壁の先端よりも後退した位置に配置されている。これにより、保護壁部82A には、カシメ部材81に設けられた基部81A の下半分における平坦な部位を逃がす逃げが形成され、カシメ部材81との結合の際に、カシメ部材81の基部81A と干渉しないようになっている。
【００４０】
さらに、保護壁部82A の内部には、保護壁部82A の内側面を覆う金属製の保護プレート85が挿入されるようになっている。
保護プレート85は、帯状に形成された金属板の長手方向の途中部分を折り曲げることで、略正方形の断面形状を有する略筒状の部材である。
また、保護プレート85は、保護壁部82A への挿入方向の先端となる端縁から後端となる端縁に向かって細長く延びる切り欠き部85A が設けられている。
保護プレート85における切り欠き部85A の先端両側の部分は、筒状の外側へ僅かに折り曲げられている。これにより、保護プレート85は、保護壁部82A の内部に挿入された際に、折り曲げられた切り欠き部85A の先端両側の部分が保護壁部82A の内側面に摩擦力で係止され、蓋部53から脱落しないようになっている。
【００４１】
カシメ受部82の筒状受部82B は、図８に示すように、カシメ部材81側の筒状突起部81B を内部に挿入させる円筒状の部位である。換言すると、筒状受部82B 及び筒状受部82Bは、入れ子状に形成された一対の筒体であり、筒状受部82B の内部に筒状突起部81B が挿入可能となっている。
そして、内側の筒体である筒状突起部81B の外周面には、図８の如く、鉤状の返し部81E を有する爪部81F が形成されている。
外側の筒体である筒状受部82B の内周面には、筒状突起部81B 側の爪部81F を係止する段部82C が形成されている。筒状突起部81B を筒状受部82B の内部に挿入すると、筒状突起部81B の爪部81F が筒状受部82B の段部82C に係止され、これにより、筒状突起部81B が筒状受部82B の内部に抜け止めされ、筒状突起部81B 及び筒状受部82B が相互に結合されるようになっている。
【００４２】
（破断部材収納部54、タグカバー部57、ＩＣタグプレート60及び破断部材70）
次に、破断部材収納部54、タグカバー部57、ＩＣタグプレート60及び破断部材70について詳しく説明する。
破断部材収納部54及びタグカバー部57は、例えて言えば「弁当箱」状に形成された部位であり、破断部材収納部54が弁当箱の本体に相当するものであり、タグカバー部57が弁当箱の蓋に相当するものとなっている。
破断部材収納部54は、図９及び図１０に示すように、ベース部52の図９中左方の側縁中央部分（図１０参照）に形成された箱状の部位である。破断部材収納部54の内部には、前述したように、破断部材70を収納するための破断部材収納室56が形成されている。
【００４３】
この破断部材収納部54には、ＩＣタグプレート60の裏面と対向する底面54A からＩＣタグプレート60に向かって突出する平板状のガイド部58が設けられている。
タグカバー部57は、ベース部52側の破断部材収納部54に対応して蓋部53に形成された箱状の部位であり、前述したように、ＩＣタグプレート60の全体を覆い、ＩＣタグプレート60に貼付されたＩＣタグシール12を保護するものである。
以上において、蓋部53には、ベース部52及び蓋部53が閉鎖されると、破断部材70と連結するように形成されるとともに、閉鎖状態のベース部52及び蓋部53を開放すると、蓋部53の移動に連動して破断部材70を移動させる連結機構が設けられている。
【００４４】
すなわち、蓋部53に設けられているタグカバー部57には、図９及び図１０の如く、タグカバー部57側に基端が設けられているとともに、先端側がＩＣタグプレート60のタグ貼付面61の裏側に配置された破断部材70まで延びている腕部91が設けられている。
換言すると、タグカバー部57には、図１０の如く、ＩＣタグプレート60側のタグ貼付面61と対向する面57A の端縁近傍位置から突出する一対の腕部91が設けられている。
この腕部91は、ＩＣタグプレート60の端縁の脇を通り、破断部材70に形成されたブレード部71A の端部まで延びるものとなっている。そして、腕部91の先端には、楔状に形成された爪部92が設けられている。
【００４５】
この際、破断部材70のブレード部71A の両端部には、タグカバー部57側から延びてくる腕部91先端の爪部92を係止させる段部として、二面が開口された直方体状のボックス部73がそれぞれ設けられている。
これらのボックス部73は、図１０及び図１１に示すように、ブレード部71A の両端部において互いに反対側に臨んだ面と、破断部材収納部54の底面54A 側に臨んだ面とが開口されたものとなっている。
ここで、ベース部52及び蓋部53の閉鎖の際に、腕部91の先端が破断部材70側のボックス部73に到達すると、腕部91先端の爪部92がボックス部73の開口から当該ボックス部73の内部に入り込み、これにより、腕部91の爪部92がボックス部73に自動的に係止され、爪部92とボックス部73とが互いに連結されるようになっている。この爪部92とボックス部73との連結によって蓋部53と破断部材70とが互いに連結されるようになっている。
【００４６】
一方、破断部材70は、閉鎖状態のベース部52及び蓋部53が開放されると、連結機構を介して連結されているタグカバー部57によって駆動され、ブレード部71A, 71Bがタグ貼付面61から突出するようになっている。
すなわち、破断部材70は、ベース部52及び蓋部53の閉鎖時に、腕部91を介してタグカバー部57に連結され、このような閉鎖状態においてベース部52及び蓋部53が開放されると、タグカバー部57側の腕部91が破断部材70を駆動し、タグカバー部57の移動と連動して、その全体がＩＣタグプレート60側へ移動するようになっている。そして、破断部材70のブレード部71A, 71Bは、その刃先がタグ貼付面61から突き出るようになっている。
【００４７】
この際、破断部材70におけるブレード部71A の刃先とは反対側の端縁には、ブレード部71A の側面から突出するとともに、破断部材収納部54の底面54A と平行になるように形成された鍔部74が設けられている。
この鍔部74には、図１１にも示すように、破断部材収納部54の底面54A に突設された平板状のガイド部58に対応した形状の長孔として開口された摺動孔75が設けられている。この摺動孔75は、その内部にガイド部58を挿通させるためのものである。
破断部材70は、ＩＣタグプレート60へ向かって移動する際に、摺動孔75を囲む内側面が破断部材収納部54側のガイド部58に案内されるようになっている。
【００４８】
破断部材70は、摺動孔75の内側面がガイド部58に摺動案内されることにより、ＩＣタグプレート60に向かって移動する間、ブレード部71A, 71BがＩＣタグプレート60のタグ貼付面61に対して垂直となる姿勢が保持され、ＩＣタグプレート60に貼付されたＩＣタグシール12の表面に、ブレード部71A, 71Bの刃先が垂直に当たるようになっている。
ＩＣタグプレート60の図１１中上方の端縁には、破断部材収納部54から離れる方向に折れ曲がった折れ曲がり部分が形成されている。この折れ曲がり部分は、ベース部52のタグ取付部55から上方へ引き抜く際に、手掛かりとなる把手部60A となっている。
ＩＣタグプレート60は、把手部60A に手を掛けることにより、ベース部52のタグ取付部55から容易に引き抜けるようになっている。
【００４９】
ＩＣタグプレート60には、図１１の如く、水平スリット62A の両端から図１１中下方へ延びる一対の薄肉部63が設けられている。これらの薄肉部63は、ＩＣタグプレート60の図１１中下方端縁に達することなく、その途中で途切れたものとなっている。
また、ＩＣタグプレート60には、一対の薄肉部63のそれぞれ下端縁から互いに近づく方向へ延びる一対の薄肉部64が設けられている。これらの薄肉部64は、タグ貼付面61における図１１中左右方向中央に開口された垂直スリット62B まで達している。
このようなＩＣタグプレート60における水平スリット62A 、垂直スリット62B 、薄肉部63及び薄肉部64に囲まれた略長方形の部分は、図１１中上方の部分から分離容易な切り抜き部60B となっている。
【００５０】
また、ＩＣタグプレート60における薄肉部64よりも図１１中下方の細長い略長方形の部分は、切り抜き部60B から分離容易な切り抜き部60C となっている。
ここで、薄肉部63及び薄肉部64は、それぞれの端部が相互に連結され、連結された薄肉部63及び薄肉部64の全体が横に間延びしたU字形を形成している。
一方、蓋部53側に設けられているタグカバー部57には、図１１の如く、薄肉部63及び薄肉部64が形成するU字形に対応したカッター挿通溝59が形成されている。このカッター挿通溝59は、タグカバー部57におけるタグ貼付面61と対向する側壁を貫通するものである。薄肉部63及び薄肉部64は、カッター挿通溝59を通じてタグカバー部57内に挿入されたカッターで切断可能となっている。このような薄肉部63及び薄肉部64は、カッターで切断することにより、切り抜き部60B がＩＣタグプレート60から分離され、切り抜き部60C が切り抜き部60B から分離するようになっている。
【００５１】
そして、ＩＣタグプレート60は、ベース部52のタグ取付部55から取り外される前に、カッター挿通溝59から挿入されたカッターで薄肉部63及び薄肉部64が切断され、これにより、切り抜き部60B がＩＣタグプレート60から分離され、切り抜き部60C が切り抜き部60B から分離され、この後、ベース部52のタグ取付部55から引き抜いて取り外し可能となっている。
以上のような本実施形態では、基板ケース50は、筐体２に取り付けられる際、ベース部52及び蓋部53が閉鎖状態にされる。このベース部52及び蓋部53の閉鎖により、蓋部53側のタグカバー部57に設けられた腕部91の先端が、ベース部52側の破断部材収納部54に収納された破断部材70に係止され、ベース部52側の破断部材70と、蓋部53側のタグカバー部57とが連結される。
【００５２】
この状態では、図１２（Ａ）に示すように、破断部材70に設けられているブレード部71A, 71Bの刃先がＩＣタグプレート60のスリット62A, 62Bの内部に収まるようになっている。ここで、ブレード部71A, 71Bの刃先は、ＩＣタグプレート60のタグ貼付面61よりもスリット62A, 62Bの内部に後退しており、ブレード部71A, 71Bの刃先とＩＣタグシール12（図示略）の裏面とは僅かに離間するようになっている。
そして、基板ケース50が開放され、換言すると、ベース部52から離れる方向に蓋部53が移動されると、破断部材70が蓋部53側のタグカバー部57と連動して移動し、これにより、ブレード部71A, 71Bの刃先が、図１２（Ｂ）に示すように、ＩＣタグプレート60のタグ貼付面61から突出し、タグ貼付面61に貼付されているＩＣタグシール12（図示略）を突き破って切り裂き、且つ、ＩＣタグチップを破壊するようになっている。
【００５３】
ここで、ブレード部71A, 71Bの刃先がＩＣタグチップを破壊する位置まで移動すると、破断部材70は、ＩＣタグプレート60に係止される。すると、破断部材70に連結されている蓋部53は、それ以上開放方向へ移動することができない。また、ＩＣタグプレート60は、スリット62A, 62Bの内部に挿入された破断部材70のブレード部71A, 71Bに係止され、ベース部52のタグ取付部55から引き抜くことができない。
そこで、図１２（Ｃ）に示すように、カッターＣの刃先をカッター挿通溝59の中に挿入し、このカッターＣで、薄肉部63及び薄肉部64を切断し、図１２（Ｄ）に示すように、切り抜き部60B をＩＣタグプレート60から分離するとともに、切り抜き部60C を切り抜き部60B から分離する。すると、ＩＣタグプレート60は、破断部材70のブレード部71A, 71Bによる係止から開放され、ベース部52のタグ取付部55から引き抜くことができる。
【００５４】
以上のようにカッターＣで薄肉部63及び薄肉部64を切断した後、ＩＣタグプレート60をベース部52のタグ取付部55から引き抜き、蓋部53をＩＣタグプレート60から開放する。この後、蓋部53を更に開放方向へ移動させると、基板ケース50を完全に開放状態にすることができる。
（実施形態の効果）
前述のような本実施形態によれば、次のような効果が得られる。
すなわち、ＩＣタグシール12が貼付されるＩＣタグプレート60を設け、このＩＣタグプレート60が取り外し可能に取り付けられる部位であるタグ取付部55をベース部52に設け、さらに、タグ取付部55に取り付けられたＩＣタグプレート60の全体を覆う部位であるタグカバー部57を蓋部53に設けたので、ＩＣタグシール12がタグカバー部57に覆われ、カミソリ等の刃物でＩＣタグシール12を基板ケース50から剥離することができなくなるうえ、化学薬品の塗布でもＩＣタグシール12を剥離することができなくなり、従って、ＩＣタグの無線アンテナや外観に何らダメージを与えずに基板ケース50からＩＣタグシール12を剥がすことが不可能となる。
【００５５】
また、ＩＣタグシール12が貼付されるＩＣタグプレート60のタグ貼付面61に、当該タグ貼付面61を横切るように延びるスリット62A, 62Bを開口し、且つ、ＩＣタグプレート60が貼付されるタグ貼付面61の裏側に、スリット62A, 62Bを通ってタグ貼付面61から突出する薄板状のブレード部71A, 71Bを有する破断部材70を設け、さらに、ベース部52及び蓋部53が閉鎖されると、破断部材70と連結するように形成されるとともに、閉鎖状態のベース部52及び蓋部53を開放すると、蓋部53の移動に連動して破断部材70を移動させる連結機構を蓋部53に設けたので、ベース部52及び蓋部53を開放すると、換言すると、基板ケース50を開けると、連結機構の作用によって、ベース部52及び蓋部53が互いに離れる方向に移動するのに連動して、破断部材70がＩＣタグプレート60に向かって移動し、これにより、ブレード部71A, 71Bの刃先がスリット62A, 62Bを通ってタグ貼付面61から突出して、タグ貼付面61に貼付されたＩＣタグシール12を確実に破断することができる。
【００５６】
従って、基板ケース50の開放によって、確実にＩＣタグシール12を破断することができ、ＩＣタグシール12は、剥がされると複数に破断されるので、剥がされたＩＣタグシール12の再利用を確実に不可能にすることができる。
さらに、連結機構の構成要素として、タグカバー部57に基端が設けられているとともに、ＩＣタグプレート60のタグ貼付面61の裏側に配置された破断部材70まで先端側が延びている腕部91を設けるとともに、この腕部91の先端に爪部92を設け、且つ、破断部材70に、連結機構側の爪部92を係止させるボックス部73を設け、これにより、ベース部52及び蓋部53を閉鎖すると、換言すると、基板ケース50を閉じると、タグカバー部57側に設けた腕部91の先端の爪部92が破断部材70側のボックス部73に係止されて、蓋部53と破断部材70とが自動的に連結されるようにしたので、蓋部53及び破断部材70を互いに別個の部品として形成しても、爪部92とボックス部73との連結によって、蓋部53と破断部材70とが確実に連結される。このため、ベース部52及び蓋部53を開放する際に、換言すると、基板ケース50を開ける際に、この基板ケース50の開放動作に連動して、破断部材70を確実に移動させることができ、基板ケース50の開放動作に連動して破断部材70を駆動する連結機構を確実に実現することができ、従って、基板ケース50の開放動作でＩＣタグシール12を確実に破断することができる。
【００５７】
また、ベース部52及び蓋部53を相互に結合するカシメ部材81及びカシメ受部82のうち、カシメ部材81については、その基部81A の背面及び側面を金属製の保護カバー部材83で覆って保護し、蓋部53については、その側面を金属製の保護プレート85で覆って保護するようにしたので、基板ケース50の内部に設けられているＲＯＭ等を不正なものに交換する際に、ドリル等の穿孔工具を利用して、基板ケース50の側面や裏面から、カシメ部材81及びカシメ受部82を破壊しようとしても、金属製の保護カバー部材83及び保護プレート85に遮られ、保護カバー部材83及び保護プレート85の破壊が防止され、ひいては、ＲＯＭ等の不正交換を未然に防止することができる。
【００５８】
なお、基板ケース50の正面から内部のカシメ部材81及びカシメ受部82が破壊されるケースはまれである。というのは、基板ケース50の正面から内部のカシメ部材81及びカシメ受部82を破壊すると、基板ケース50の前面に形成される破壊の痕跡が目立ち、スロットマシン１の前扉３を開いた時点で不正行為が発見されるからである。
さらに、保護カバー部材83の側壁83B, 83Cに切り欠き部83D ,83Eを形成し、保護カバー部材83が背部に取り付けられた状態で、カシメ部材81をベース部52に取り付けると、その側壁83B, 83Cに形成された切り欠き部83D ,83Eが、開口84B の両側に形成された鍔部84C に係止されるようにしたので、カシメ部材81の背面と対向するベース部52の側壁が不正に切り取られ、保護カバー部材83の背面の大きさに相当する孔が開口されても、側壁83B, 83Cの切り欠き部83D ,83Eが、開口84B 両側の鍔部84C に係止され、保護カバー部材83を取り除くことができない。従って、カシメ部材81及びカシメ受部82を破壊するために、保護カバー部材83の背面に孔を開けても、保護カバー部材83を取り除くことができず、これにより、カシメ部材81及びカシメ受部82の破壊が防止され、ひいては、ＲＯＭ等の不正交換を未然に防止することができる。
【００５９】
［第２実施形態］
図１３，１４には、本発明の第２実施形態が示されている。
本第２実施形態は、前記第１実施形態におけるカッターＣの刃先を挿入させるためのカッター挿通溝59が設けられたタグカバー部57を、カッターＣで切断される破断部59A が設けられたタグカバー部57B としたものである。
なお、以下の説明において、前記第１実施形態と同様の装置や部位等には、同一符号を付し、その説明を省略又は簡略する。
すなわち、本第２実施形態に係る基板ケース50A は、前記第１実施形態における基板ケース50と同様に、遊技動作を制御する制御回路が形成されている図示しない制御基板を収納するために、図１３に示すように、箱状に形成された箱状部51A と、スロットマシン１の固有の情報が記録されたＩＣタグが設けられているＩＣタグシール12と、このＩＣタグシール12が貼付されるＩＣタグプレート60とを備えたものとなっている。
【００６０】
箱状部51A は、前記第１実施形態における箱状部51と同様に、二つの部品、具体的には、ベース部52及び蓋部53A に分割されたものである。
このうち、ベース部52は、ＩＣタグシール12が貼付されたＩＣタグプレート60が設置されるものとなっている。
そして、ＩＣタグプレート60は、ＩＣタグシール12が貼付される板状部材であり、換言すると、基板ケース50A におけるＩＣタグシール12の貼付部位となっている。
蓋部53A は、ベース部52におけるＩＣタグプレート60が設置された部位を覆うタグカバー部57B が設けられたものである。換言すると、タグカバー部57B は、ＩＣタグプレート60に貼付されたＩＣタグシール12の全体を覆う蓋部53A の一部分である。
【００６１】
ここで、ＩＣタグシール12が貼付されたＩＣタグプレート60がベース部52に取り付けられ、ＩＣタグプレート60の裏側に破断部材70が配置された状態で、ベース部52及び蓋部53A が閉鎖されると、蓋部53A 側に設けられた腕部91先端の爪部92が、ベース部52側の破断部材70に係止され、且つ、破断部材70及びＩＣタグプレート60が互いに係止しあう結合状態となり、これらＩＣタグプレート60及び破断部材70によって、ベース部52と蓋部53とが結合されるようになっている。
そして、ＩＣタグプレート60及び破断部材70は、タグカバー部57B の内部において、ＩＣタグシール12の裏側に配意されたものとなっている。
【００６２】
以上において、タグカバー部57B の内部には、ＩＣタグシール12の裏側に配置されるとともに、ベース部52及び蓋部53A を相互に結合する結合手段としてのＩＣタグプレート60及び破断部材70が設けられている。
このようなタグカバー部57B には、図１３の如く、蓋部53A から当該タグカバー部57B を刃物で切り離す際に、刃物で破断される部位であることを示すとともに、刃物で破断される破断部59A が設けられている。
この破断部59A は、タグカバー部57B における肉厚が薄くなった肉薄部分が延びて、矩形波状に折れ曲がった溝を形成したものである。
【００６３】
このような破断部59A に沿って刃物の刃先を移動すれば、タグカバー部57B は、図１４に示すように、蓋部53A から切り離されるようになっている。また、破断部59A は、刃物で切断容易な薄肉部分となっていることから、タグカバー部57B の切り離し作業は、容易に行えるようになっている。
そして、ＩＣタグシール12は、タグカバー部57B の破断部59A が刃物で破断されて、タグカバー部57B が蓋部53A から切り離されると、基板ケース50A の外部に露出するように形成されている。
また、ＩＣタグプレート60は、基板ケース50A の外部に露出しているＩＣタグシール12が刃物で切断される際に、ＩＣタグシール12とともに刃物で切断され、図１２（Ｄ）に示すように、切り抜き部60B, 60C が分離するように形成されている。
【００６４】
すると、ＩＣタグプレート60は、破断部材70との係止から開放され、ベース部52から引き抜くことが可能となっている。
そして、ＩＣタグプレート60がベース部52から引き抜かれると、破断部材70は、破断部材70による係止から開放され、蓋部53A とともにベース部52から離れる方向へ移動可能となっている。
以上において、結合手段としてのＩＣタグプレート60及び破断部材70は、基板ケース50A の外部に露出しているＩＣタグシール12が刃物で切断されると、ＩＣタグシール12とともにＩＣタグプレート60が刃物で切断され、これにより、ＩＣタグプレート60及び破断部材70の双方が互いに係止しあう結合状態から開放される。
【００６５】
そして、結合手段としてのＩＣタグプレート60及び破断部材70は、互いを係止しあう結合状態から解除されると、ベース部52及び蓋部53A を結合している結合状態をも解除するようになっている。
以上のような基板ケース50A は、ベース部52及び蓋部53A を結合していた結合を解除されると、解放可能、すなわち、開くことが可能となるように形成されている。
このような本第３実施形態によっても、前記第１及び第２実施形態と同様の作用効果を奏することができるうえ、次のような作用効果を付加できる。
すなわち、基板ケース50A の蓋部53A に、当該基板ケース50A に貼付されたＩＣタグシール12の全体を覆うタグカバー部57B を設けたので、ＩＣタグシール12がタグカバー部57B に覆われ、ＩＣタグシール12を基板ケース50A から剥がす際に、カミソリ等の刃物を利用することができなくなるうえ、化学薬品をＩＣタグシール12に塗布することができなくなり、従って、ＩＣタグの無線アンテナや外観に何らダメージを与えずに基板ケース50A からＩＣタグシール12を剥がすことが不可能となる。
【００６６】
また、タグカバー部57B の内部におけるＩＣタグシール12の裏側に、ベース部52及び蓋部53A を相互に結合するＩＣタグプレート60及び破断部材70を設け、且つ、タグカバー部57B を蓋部53A から切り離すと、ＩＣタグシール12が外部に露出するように形成し、さらに、露出したＩＣタグシール12を刃物で切断すると、ＩＣタグプレート60も切断され、ベース部52及び蓋部53A を結合しているＩＣタグプレート60及び破断部材70の結合状態が解除されるようにし、さらに、ベース部52及び蓋部53A を結合していたＩＣタグプレート60及び破断部材70の結合状態が解除されると、基板ケース50A が解放可能となるようにしたので、基板ケース50A を解放するには、ＩＣタグシール12を切断する必要があり、従って、基板ケース50A を開放すると、確実にＩＣタグシール12が破断されるようになる。
【００６７】
さらに、蓋部53A からタグカバー部57B を刃物で切り離す際に、刃物で破断される部位であることを示すとともに、刃物で破断される破断部59A をタグカバー部57B に設けたので、ＩＣタグシール12を露出する際に、蓋部53A からタグカバー部57B を容易且つ確実に切り離すことができ、これにより、基板ケース50A の開放作業が容易に行え、基板ケース50A の開放によって、確実にＩＣタグシール12が破断されるようにしても、基板ケース50A の開放作業の容易性が何ら損なわれることがない。
また、破断部として、肉厚が薄くなった部位を線状に延ばすとともに、矩形波状に折れ曲がった溝を採用したので、刃物で破断部59A を切断する際に、刃先の移動方向を途中で複数回変更する必要があり、単なる直線状に延びる溝として形成した場合よりも、切断に時間がかかるようになる。このため、遊技場で迅速に基板ケース50A を開放することが困難となり、この点からも、基板ケース50A の防犯性を向上することができる。
【００６８】
なお、本発明は、前記実施形態に限定されるものではなく、本発明の目的を達成できる範囲における変形及び改良などをも含むものである。
例えば、前記実施形態では、ベース部側にＩＣタグプレートが取り付けられるタグ取付部を設け、蓋部側にＩＣタグプレートを覆うタグカバー部、並びに、このタグカバー部と破断部材とを連結する連結機構（腕部及び爪部）を設けたが、逆に、蓋部側にＩＣタグプレートが取り付けられるタグ取付部を設け、ベース部側にＩＣタグプレートを覆うタグカバー部、並びに、このタグカバー部と破断部材とを連結する連結機構（腕部及び爪部）を設けてもよい。
【００６９】
また、結合手段としては、ＩＣタグプレート60及び破断部材70に限らず、ＩＣタグシール12の裏側に隠れるように設けられ、ベース部と蓋部とを結合するネジでもよく、要するに、ベース部と蓋部との結合を解除するのに、ＩＣタグシールを切断する必要がある構造あるいは形態を有するものであればよい。
さらに、破断部としては、肉厚が薄くされた溝状のものに限らず、切断すべき方向に延びるとともに、表側に突出するとともに内部が中空の突条であって、内部の中空が裏側に開口されている突条形破断部を含んだものを採用することもできる。
このような突条形破断部を二つ離間して設け、その間に、平板状に形成された平板状破断部を設ければ、突条形破断部を切断するにあたり、カッティング・プライヤー（いわゆる「ニッパー」）等の切断工具の刃をタグカバー部57B の表面に沿わした状態で、突条形破断部の根本部分を切断し、その後、平板状破断部を切断するにあたり、切断工具の刃をタグカバー部57B の表面に対して立てた状態で、平板状破断部を切断することとなるので、途中で、切断工具の持ち方を変える、あるいは、ニッパーからカッターへ工具を持ち変える必要が生じ、タグカバー部57B を切り離す際に、破断部の切断に時間がかかるようになる。このため、溝状の破断部のみを設けた場合よりも、遊技場で迅速に基板ケース50A を開放することが困難となり、この点からも、基板ケース50A の防犯性を向上することができる。
【００７０】
また、前記第１実施形態では、カッター挿通孔59の内部にカッターの刃先を挿入して、ＩＣタグプレート60及びＩＣタグシール12を切断したが、カッティング・プライヤー（いわゆる「ニッパー」）等の切断工具の刃先をカッター挿通孔59に挿入した後、当該切断工具で、カッター挿通孔59の端部からタグカバー部57を切り進み、タグカバー部57を蓋部53から切り離し、これにより、ＩＣタグシール12を露出し、この状態で、ＩＣタグプレート60及びＩＣタグシール12を切断してもよい。
なお、本発明は、スロットマシンに限らず、パチンコ機等の弾球遊技機にも適用でき、要するに、マイクロプロセッサからなるＣＰＵを内部に収納している基板ケースを備えた遊技機全般に適用できる。
【符号の説明】
【００７１】
1    遊技機としてのスロットマシン
12    ＩＣタグシール
50,50A   基板ケース
52    ベース部
53,53A   蓋部
57,57B   タグカバー部
59A   破断部
60    結合手段を形成するＩＣタグプレート
70    結合手段を形成する破断部材
80    制御基板である主制御基板
【図１】
0005164293.tif 000002
【図２】
0005164293.tif 000003
【図３】
0005164293.tif 000004
【図４】
0005164293.tif 000005
【図５】
0005164293.tif 000006
【図６】
0005164293.tif 000007
【図７】
0005164293.tif 000008
【図８】
0005164293.tif 000009
【図９】
0005164293.tif 000010
【図１０】
0005164293.tif 000011
【図１１】
0005164293.tif 000012
【図１２】
0005164293.tif 000013
【図１３】
0005164293.tif 000014
【図１４】
0005164293.tif 000015